(57)【要約】 【課題】  本考案は、廃タイヤを有効利用したゴムマットであって、足裏マッサージ効果があり、滑り防止の機能を有する健康ゴムマットを提供することを目的とする。【解決手段】    本考案の健康ゴムマットは、バージンゴムのチップからなる表層部２と廃タイヤのチップからなる裏面部３とを少なくとも有し、該表層部の表面に多数の凸部４が設けられている。【選択図】      図２
0003108777.tif 000002
【実用新案登録請求の範囲】
【請求項１】
バージンゴムのチップからなる表層部と廃タイヤのチップからなる裏面部とを少なくとも有し、該表層部の表面に複数の凸部が設けられていることを特徴とする健康ゴムマット。
【請求項２】
バージンゴムのチップの長さが２．５〜４．０ｍｍであり、廃タイヤのチップの長さが２．５〜５ｍｍであることを特徴とする請求項１に記載の健康ゴムマット。
【請求項３】
接着剤を混合したバージンゴムのチップと接着剤を混合した廃タイヤのチップを加熱加圧成型することにより得られたことを特徴とする請求項１又は２に記載の健康ゴムマット。
【請求項４】
内部に暖房用のヒーターが設けられていることを特徴とする請求項１〜３のいずれかに記載の健康ゴムマット。
【考案の詳細な説明】
【技術分野】
【０００１】
本考案は、健康ゴムマットに関する。
【背景技術】
【０００２】
大部分の車の廃タイヤは、経済的に見合う再利用の方法が見つからず、燃料として燃やしたり、廃棄したりしている。かかる状況下、廃タイヤを有効利用することが期待されている。
一方、一般家庭では、主婦がキッチンで料理等をする際は長時間立ち続けなければならないので、足への負担を軽減することが期待されている。また、風呂上りは、足が濡れているので、床を滑りにくくすることも期待されている。
【０００３】
【特許文献１】登録実用新案第３０３６８０３号公報
【考案の開示】
【考案が解決しようとする課題】
【０００４】
本考案は、廃タイヤを有効利用したゴムマットであって、足裏マッサージ効果があり、滑り防止の機能を有する健康ゴムマットを提供することを目的とする。
【課題を解決するための手段】
【０００５】
本考案によれば、以下に示す健康ゴムマットが提供される。
〔１〕  バージンゴムのチップからなる表層部と廃タイヤのチップからなる裏面部とを少なくとも有し、該表層部の表面に多数の凸部が設けられていることを特徴とする健康ゴムマット。
〔２〕  バージンゴムのチップの長さが２．５〜４．０ｍｍであり、廃タイヤのチップの長さが２．５〜５ｍｍであることを特徴とする前記〔１〕に記載の健康ゴムマット。
〔３〕  接着剤を混合したバージンゴムのチップと接着剤を混合した廃タイヤのチップを加熱加圧成型することにより得られたことを特徴とする前記〔１〕又は〔２〕に記載の健康ゴムマット。
〔４〕  内部に暖房用のヒーターが設けられていることを特徴とする前記〔１〕〜〔３〕のいずれかに記載の健康ゴムマット。
【考案の効果】
【０００６】
本考案の健康ゴムマットは、裏面部が廃タイヤからなるので、廃タイヤの有効利用が促進される。また、表層部の表面には凸部が設けられているので、足裏マッサージ効果、滑り防止効果に優れている。
また、本考案の健康ゴムマットは、内部にヒーターを設けることにより、寒い冬場でも足が冷えることを防ぐことができる。
【考案を実施するための最良の形態】
【０００７】
以下、本考案の健康ゴムマット（以下、単にゴムマットともいう。）について、図面に基づいて詳細に説明する。ここで、図１は本考案の健康ゴムマットの平面図であり、図２は図１のＡ−Ａ線に沿う断面図である。
本考案のゴムマット１は、図１、図２示すように、バージンゴムのチップからなる表層部２と廃タイヤのチップからなる裏面部３とを少なくとも有し、表層部２の表面に複数の凸部４が設けられている。本考案は、その裏面部３が廃タイヤのチップからなるので、廃タイヤの有効利用に役立つものである。また、表層部２の表面に複数の凸部４が設けらているのでマッサージ効果がある。また、表層部２、裏面部３共にゴムからなるので、適度な弾力性があり、足にかかる負担が和らげられる。
尚、本明細書において、表層部と裏面部とを少なくとも有しとは、表層部と裏面部との間に他の層を設けても良いことを意味し、この場合、マット全体を弾力性に優れたものとするため、他の層もゴムのチップで構成することが好ましい。
【０００８】
上記表層部２は、バージンゴムのチップからなる。表層部２にバージンゴムのチップを用いるのは、バージンゴムは発色性に優れることから、表層部２を美麗に着色することにより、商品価値を高めるためである。該バージンゴムのチップの長さは、２．５〜４ｍｍであることが好ましい。バージンゴムのチップが短すぎると、ゴム製品に近くなりすぎる。長すぎると、足裏刺激が強すぎる。
【０００９】
表層部２は、商品価値を高めるために着色することが好ましく、通常はベージュや
イエローに着色する。但し、本考案はこれらの色に限定するものではない。
【００１０】
前記裏面部３は、廃タイヤのチップからなる。該廃タイヤのチップの長さは、２．５〜５ｍｍであることが好ましい。
【００１１】
裏面部３も、商品価値を高めるために着色することが好ましく、表層部と同色が好ましいが、通常は黒に着色する。但し、本考案はこれらの色に限定するものではない。
【００１２】
前記表層部２の厚みは、３〜１０ｍｍであることが好ましい。また、前記表層部２は、全部バージンゴムであることが好ましい。表層部２の厚みが薄すぎると、製造時に裏面部の色が出て来てむずかしい。厚すぎたり、表層部全部がバージンゴムだと価格が高くなる。
【００１３】
前記裏面部３の厚みは、５〜１２ｍｍであることが好ましい。裏面部３の厚みが薄すぎると、廃タイヤの再利用としての意味がなくなるおそれがある。
【００１４】
表層部２の厚みと裏面部３の厚みの比（表層部２の厚み／裏面部３の厚み）は、０．５〜０．７程度であることがより好ましい。表層部２の厚みが裏面部３の厚みに対して薄すぎると、かたすぎるように感じ、表層層部２の厚みが裏面部３の厚みに対して厚すぎると、柔らかすぎるように感ずる。
【００１５】
ゴムマットの凸部４を除いた部分の厚みは、１５〜２０ｍｍであることが好ましい。該厚みが薄すぎると、弾力性が不足するので、足にかかる負担を和らげることができない虞がある。一方、該厚みが厚すぎると、重すぎて取扱いにくくなる上に、弾力性の向上もそれほど期待することができない。また、コストも高くなる。
【００１６】
本考案のゴムマットにおいては、表層部２の表面に、複数の凸部４が設けられている。凸部４の高さは、４〜６ｍｍ程度が好ましい。凸部４が高すぎると、足に与える刺激が強くなりすぎる虞があり、凸部４が低すぎると所望のマッサージ効果が得られない虞がある。
【００１７】
凸部４の横断面積は、２８０ｍｍ２前後であることが好ましい。該横断面積があまり小さすぎると、凸部４の強度が弱くなるので所望のマッサージ効果が得られない虞があり、横断面積があまり大きすぎても所望のマッサージ効果が得られない虞がある。
凸部４は、１ｍ２当り８００〜９００個程度設けられていることが好ましい。
【００１８】
凸部４の形状に制限はなく、円柱、楕円柱、三角柱、四角柱、円錐、三角錐等にすることができるが、通常は円柱が好ましい。
凸部４の配置に制限はなく、例えば、平面視で直線状、千鳥状等に配列することができる。
【００１９】
本考案のゴムマットは、例えば、接着剤を混合したバージンゴムのチップと接着剤を混合した廃タイヤのチップを加熱加圧成型することにより得ることができる。用いる接着剤に制限はないが、ウレタン系接着剤を用いることが好ましい。
加熱加圧成型については従来公知の方法、条件で行うことができる。
【００２０】
本考案のゴムマットは、図３に示すように、内部に暖房用のヒーター５が設けられていることが好ましい。暖房用のヒーター５を加熱することにより、寒い冬場でも足が冷えることを防ぐことができる。ヒーター５としては、この種のゴムマットの暖房のために従来使用されている各種のタイプのものを使用することができる。
【図面の簡単な説明】
【００２１】
【図１】ゴムマットの平面図である。
【図２】図１のＡ−Ａ線に沿う縦断面図である。
【図３】内部に暖房用のヒーターが設けられているゴムマットの縦断面図である。
【符号の説明】
【００２２】
１    ゴムマット
２    表層部
３    裏面部
４    凸部
５    ヒーター
【図１】
0003108777.tif 000003
【図２】
0003108777.tif 000004
【図３】
0003108777.tif 000005